(57)【要約】      （修正有）【課題】  沖縄で伝統的におどりや歌に合わせて、指を用いて鳴らす指笛を熟練を要さずに手軽に鳴らすことができる笛を提供する。【解決手段】  送気口と、該送気口から先細りとなる送気路を通して空気が吹き込まれる短円筒状の共鳴室３と、該送気路と共鳴室３との間の上部に形成された開口よりなる歌口２と、該短円筒状共鳴室３の出口部であり空気が吐き出される排気口４とで形成した笛であり、該排気口４に指等を当て、出口部を開閉することで、音色を急激に変化させることができ、指笛の音色を発生させることを可能とした。【選択図】図１
0003125042.tif 000002
【実用新案登録請求の範囲】
【請求項１】
送気口と、該送気口から先細りとなる送気路を通して空気が吹き込まれる短円筒状の共鳴室と、該送気路と共鳴室との間の上部に形成された開口よりなる歌口と、該短円筒状共鳴室の出口部であり空気が吐き出される排気口とで形成され、指笛の音色を発生させることを特徴とする笛。
【請求項２】
前記の短円筒状共鳴室の長さが３０ｍｍ〜４０ｍｍであり、その円筒の内径が１５ｍｍ〜１８ｍｍであることを特徴とする請求項１に記載の笛。
【請求項３】
前記の送気口から送気路部分は、指の爪部に類似した形状であり、歌口部分は、爪の半月部に類似した形状の開口部であり、共鳴室部分は、指の第１及び第２関節部に類似した形状となっていることを特徴とする請求項１又は請求項２の項に記載の笛。
【請求項４】
共鳴室の形状である円筒状型体と、送気口から共鳴室までの送気路の形状である板状型体とを配置し、それらの外表面に陶器用粘土を被覆成形して笛の外形を形成し、全体の外形が形成された後に、該円筒状型体と板状型体を取り外すことにより、笛の送気路及び共鳴室を形成し、最後に歌口部を削りとって整形し、焼成することにより製造されたことを特徴とする請求項１から請求項３までのいずれかの項に記載の笛。
【請求項５】
前記の共鳴室の排気口は、略円形状であり、指等を当てることにより、容易に出口部を開閉でき、音色を急激に変化させることができる請求項１から請求項４までのいずれかの項に記載の笛。
【考案の詳細な説明】
【技術分野】
【０００１】
本考案は、指笛の音色を発生する笛に関する。
【背景技術】
【０００２】
沖縄県では、伝統的舞踊、エイサー、カチャ−シーなどでの拍子の他、野球観戦などの声援の時などに、指笛を鳴らすことが多く行なわれている。
【０００３】
また、音楽家などでも、曲の中で指笛を使用することも行なわれている。
【０００４】
しかし、指笛を鳴らすことは、熟練が必要であり、簡単に鳴らすことは出来なかった。
【０００５】
指笛を鳴らすことが出来ない人はコンプレックスさえ感じていた。
【０００６】
指笛を鳴らすことが出来る人においても、タイミングよく、きれいな音色を鳴らすことは、更なる熟練が必要であった。
【０００７】
また、長時間、指笛を鳴らしていると、よだれが大量に出てしまい心地よいものではなかった。
【０００８】
これらの改善案として、楽に指笛を鳴らすことができる楽器を用いる方法がある。
【０００９】
これは、高い音を出す立て笛で指笛に似た音色を出すものがある。
【００１０】
しかしながら、舞踏や声援の時に立て笛を使って鳴らすのでは、立て笛が目立ちすぎて、その場の雰囲気を壊してしまう。
【００１１】
指を使って鳴らすことがその場の雰囲気を盛り上げるために必要である。
【００１２】
指笛の音色は、周波数が高く、厚みのある独特の高次倍音である。
【００１３】
この高次倍音を発生させるものとしてホイッスルがある。
【００１４】
これは、スポーツの審判などで頻繁に使用されているものである。
【００１５】
例えば、特開１４−１０８３４５号公報では、音の立ち上がりが早く、高いビート音を発生するホイッスルが開示されている。
【００１６】
しかしながら、これらのホイッスルは、単調な音であり、指笛のような独特の語尾を上げるような音程の変化を出すことは困難である。
【００１７】
また、指笛の特徴は、高い音域において、音程の急激な変化を繰り返す奏法が求められるものであり、ホイッスルのように共鳴室が小さく、一定の容量では、複数の孔を空けて調整しても、急激な高音域での変化には対応できない。
【特許文献１】特開１４−１０８３４５号公報
【考案の開示】
【考案が解決しようとする課題】
【００１８】
このように、指笛に似た音を発する楽器で、高音域において、急激な変化と抑揚をつけることができる楽器はなかった。
【００１９】
本考案の課題は、コンパクトで指笛の音を発することができ、音程に急激な変化と抑揚をつけられる笛を提供することである。
【課題を解決するための手段】
【００２０】
本考案の請求項１は、送気口と、該送気口から先細りとなる送気路を通して空気が吹き込まれる短円筒状の共鳴室と、該送気路と共鳴室との間の上部に形成された開口よりなる歌口と、該短円筒状共鳴室の出口部であり空気が吐き出される排気口とで形成され、指笛の音色を発生させることを特徴とする笛としたものである。
【００２１】
また、本考案の請求項２は、前記の短円筒状共鳴室の長さが３０ｍｍ〜４０ｍｍであり、その円筒の内径が１５ｍｍ〜１８ｍｍであることを特徴とする笛である。
【００２２】
また、本考案の請求項３は、前記の送気口から送気路部分は、指の爪部に類似した形状であり、歌口部分は、爪の半月部に類似した形状の開口部であり、共鳴室部分は、指の第１及び第２関節部に類似した形状となっていることを特徴とする笛である。
【００２３】
また、本考案の請求項４は、共鳴室の形状である円筒状型体と、送気口から共鳴室までの送気路の形状である板状型体とを配置し、それらの外表面に陶器用粘土を被覆成形して笛の外形を形成し、全体の外形が形成された後に、該円筒状型体と板状型体を取り外すことにより、笛の送気路及び共鳴室を形成し、最後に歌口部を削りとって整形し、焼成することにより製造されたことを特徴とする笛である。
【００２４】
また、本考案の請求項５は、前記の共鳴室の排気口は、略円形状であり、指等を当てることにより、容易に出口部を開閉でき、音色を急激に変化させることができる笛である。
【考案の効果】
【００２５】
本考案によると以下のような効果を奏する。
【００２６】
１）簡単に指笛の音色を発生する笛を提供できる。
【００２７】
２）コンパクトで、手の中に納まり、指を用いて指笛を吹いている状態に近い状態で指笛の音色を発することができる。
【００２８】
３）人間の指の外形に似た笛とする事で、笛が目立たず、その場の雰囲気を壊すことはない。
【００２９】
４）陶器性であるので製造コストが安く、成形しやすい。
【００３０】
５）送気路と共鳴室となる型体に粘土を被せて製造することで、粘土の成形が非常に容易であり制作性、作業性が良く、音色に影響する送気路や共鳴室の制作精度が向上し、品質も安定し、信頼性の高い笛を製作できる。
【００３１】
６）共鳴室に大きな排気口が設けられているため、指でその排気口を簡単に開閉することができ、指笛の独特に音程の急激な変化や抑揚のある音色を簡単に演奏することができる。
【考案を実施するための最良の形態】
【００３２】
本考案の実施の形態について図面を用いて説明する。
【００３３】
図１は、本考案による指笛の音色を発する笛の実施例を示す斜視図である。
【００３４】
図２は、本考案による指笛の音色を発する笛の吹き口側から見た斜視図である。
【００３５】
本実施例の笛は陶器製であり、全体の外観は、人間の指に似せた形態となっている。
【００３６】
本実施例の笛は、人間の指に似た形態としたものであるが、基本的には、吹き口１（指先部分）と、歌口２（爪半月部分）と、排気口４を有する共鳴室３とから構成される。
【００３７】
図３は、本考案による指笛の音色を発する笛の平面図である。
【００３８】
指の形態として、吹き口１から送気路５の間の部分の上部が爪６を表し、歌口２の部分は、爪半月７を表し、共鳴室部分は、指の第１及び第２関節部分を表したものである。
【００３９】
図４は、本考案による指笛の音色を発する笛の縦断面図である。
【００４０】
図に示すように、吹き口１から歌口２までの送気路５は、先細りの形状となっており、吹き口１から吹き込まれた空気は、歌口２のエッジ部２ａで共鳴室２側と、歌口２の上部の開口部２ｂ側へと流れ、この時に空気が振動して独特の高次倍音を発生する。
【００４１】
従って、送気路５の出口の中心部に歌口２のエッジ２ａの先端部が位置する必要がある。
【００４２】
送気路５の流路の出口部の高さＨは１〜２ｍｍ程度が好ましく、エッジ２ａの角度は４５度程度が好ましい。
【００４３】
また、送気路５の出口側の上下の壁面２ｃは送気方向に対して略直角であることが好ましい。
【００４４】
送気方向がここで乱れることで空気が急激に振動することを可能とするものである。
【００４５】
また、共鳴室２は、その容量により、音程が左右されるが、指笛の音は音程が高いので容量を小さくする必要があるが、その長さＬは、３０ｍｍ〜４０ｍｍ程度が良く、内径Ｄは直径１５ｍｍ〜１８ｍｍ程度が良い。
【００４６】
長さが長く、口径が大きくなると、音程が低くなり、指笛の高い音はでない。
【００４７】
逆に短く、口径が小さいと、音程は高くなるが、容量が小さく、音程の急激な変化に対して厚みのある抑揚のある独特の指笛奏法ができなくなる。
【００４８】
図５は、本考案による指笛の音色を発する笛の製造方法を示す縦断面図である。
【００４９】
本実施例の笛は、以下のようにして製作した。
【００５０】
１）送気路５となる先細り形状の型板１０と、共鳴室となる円筒状型体１１とを準備する。
【００５１】
型板は、先端の板圧１ｍｍ、長さ１５ｍｍとした。
【００５２】
円筒状型体は、直径１５ｍｍ、長さ５０ｍｍを用いた。
【００５３】
２）型板１０の先端部１０ａと、円筒状型体１１の先端部１１ａの上部を当接し、陶器用粘土１２を被覆して笛の外形を成形した。
【００５４】
３）外形が整った状態で、型板１０と、円筒状型体１１とを各々、矢印の方向に引き抜いて、送気路５と、共鳴室２を形成した。
【００５５】
４）送気路５と、共鳴室２との接続部の上部１３を、図のように削除して取り外し、開口部を形成し、歌口３とした。
【００５６】
５）人間の指に似せた形態となるように、全体を滑らかにし、送気路５の上部に爪を描き、共鳴室の外部に指のしわを描いた。
【００５７】
６）６００度で焼成し、陶器製の笛とした。
【００５８】
このように製作した笛は、排気口４に指を当てて、開閉させながら吹いて鳴らすことにより、指笛に近い、高次倍音による独特な高音の音色が発せられ、排気口４の開閉動作で、音程を急激に変化させる独特の指笛奏法を実現できる。
【００５９】
また、本実施例の笛は、小型であり、片手に納まるので、外観上からは、笛を使用せずに、本当に指で鳴らしているように見える。
【００６０】
また、指笛を実際に鳴らすためには、空気を多く使い、テクニックが必要であるが、本考案の笛を用いると、軽く吹くだけで美しい指笛の音を出すことができ、音の高低、強弱の抑揚を指の開閉操作で簡単に実現できる。
【図面の簡単な説明】
【００６１】
【図１】本考案による指笛の音色を発する笛の実施例を示す斜視図である。
【図２】本考案による指笛の音色を発する笛の吹き口側から見た斜視図である。
【図３】本考案による指笛の音色を発する笛の平面図である。
【図４】本考案による指笛の音色を発する笛の縦断面図である。
【図５】本考案による指笛の音色を発する笛の製造方法を示す縦断面図である。
【符号の説明】
【００６２】
１  吹き口
２  歌口
３  共鳴室
４  排気口
５  送気路
６  爪部
７  爪半月部
８  指第１及び第２関節部
１０  送気路となる型板体
１１  共鳴室となる円筒状型体
１２  陶器用粘土
１３  歌口部の粘土
Ｄ  共鳴室内径
Ｈ  通気路出口高さ
Ｌ  共鳴室長さ
【図４】
0003125042.tif 000003
【図５】
0003125042.tif 000004
【図１】
0003125042.tif 000005
【図２】
0003125042.tif 000006
【図３】
0003125042.tif 000007